(57)【要約】      （修正有）【課題】空気調和機本体からリモコン線を介して電源供給を受けるリモコンにおいて、内蔵電池の有無に応じて異なる機能を自動で選択できるリモコンを提供する。【解決手段】リモコンに電源が入力された時、計時部の計時時間と予め記憶された所定時間とを比較することで電池が接続されているか否かを判定し、その判定結果に応じて電池の有無を示すフラグを記憶する。そしてサブプログラムを実行する場合に電池の有無を示すフラグに応じて第一制御サブプログラムもしくは第二制御サブプログラムを選択して実行する。【選択図】図２
2015162749.tif 000002
【特許請求の範囲】
【請求項１】
外部電源が入力される主電源入力部と、時間を計時する計時部と、前記外部電源が遮断されたとき前記計時部の計時を継続させるための電池を接続する電池電源入力部と、前記外部電源が入力されたとき前記電池が接続されているか否かを判定する電池有無判定手段と、前記電池有無判定手段により電池が接続されていると判定されたときに実行する第一制御プログラムと前記電池有無判定手段により電池が接続されていないと判定されたときに実行する第二制御プログラムとを記憶するプログラム記憶部と、前記電池有無判定手段の判定結果に基づいて対応する第一制御プログラムまたは前記第二制御プログラムのいずれか一方を選択する制御プログラム選択手段を有することを特徴とするリモートコントローラ。
【請求項２】
前記電池有無判定手段は前記外部電源が入力されたとき前記計時部から計時時間を取得して予め記憶された所定時間と比較し、前記計時時間が前記所定時間以上のとき電池が接続されていると判定して前記第一制御プログラムを選択し、前記計時時間が前記所定時間未満のとき電池が接続されていないと判定して前記第二制御プログラムを選択することを特徴とする請求項１に記載のリモートコントローラ。
【発明の詳細な説明】
【技術分野】
【０００１】
本発明は、空気調和機を遠隔操作するリモートコントローラに関する。
【背景技術】
【０００２】
空気調和機のリモートコントローラ（以下、リモコンという）には同じ筐体であっても必要とされる機能が異なるものがあり、異なる機能に応じて個別の制御プログラムを実装するようにすると量産効果が上がらず製品のコストが上昇する。
【０００３】
このような背景から、電源用の電池装着時に特定のボタンを押下することで必要な機能を選択することができるリモコン装置が提案されている。（例えば、特許文献１参照）。
【先行技術文献】
【特許文献】
【０００４】
【特許文献１】特開２００３−２４０３１９号公報（第３〜４頁、図８）
【発明の概要】
【発明が解決しようとする課題】
【０００５】
特許文献１に示された技術によれば、電源用の電池装着時に必要な機能を選択することができるためリモコンの汎用性を高めることができる。しかし、機能の選択を手動で行うため作業者の負担増となる上に操作ミスが発生する可能性があるという問題があった。
【０００６】
ところで空気調和機のリモコンには、空気調和機本体からリモコン線を介して電源供給を受けるものがある。このリモコンでは同じ筐体を用いて電源の供給が遮断されたときに内部時計の計時を継続するための電池を内蔵したものと内蔵しないものとで機能を異ならせるものがある。
【０００７】
このリモコンでも初期の電源投入時に、上記のリモコンで電源用の電池の装着時に行うのと同じように手動で機能の選択を行うと作業者の負担増や操作ミスをまねく可能性がある。
【０００８】
本発明は以上述べた問題点を解決し、空気調和機本体からリモコン線を介して電源供給を受けるリモコンにおいて、内蔵電池の有無に応じて異なる機能を自動で選択できるリモコンを提供することを目的とする。
【課題を解決するための手段】
【０００９】
本発明は上述の課題を解決するため、本発明の請求項１に記載の発明は、外部電源が入力される主電源入力部と、時間を計時する計時部と、前記外部電源が遮断されたとき前記計時部の計時を継続させるための電池を接続する電池電源入力部と、前記外部電源が入力されたとき前記電池が接続されているか否かを判定する電池有無判定手段と、前記電池有無判定手段により電池が接続されていると判定されたときに実行する第一制御プログラムと前記電池有無判定手段により電池が接続されていないと判定されたときに実行する第二制御プログラムとを記憶するプログラム記憶部と、前記電池有無判定手段の判定結果に基づいて対応する第一制御プログラムまたは前記第二制御プログラムのいずれか一方を選択する制御プログラム選択手段を有することを特徴とする。
【００１０】
また、本発明の請求項２に記載の発明は、前記電池有無判定手段は前記外部電源が入力されたとき前記計時部から計時時間を取得して予め記憶された所定時間と比較し、前記計時時間が前記所定時間以上のとき電池が接続されていると判定して前記第一制御プログラムを選択し、前記計時時間が前記所定時間未満のとき電池が接続されていないと判定して前記第二制御プログラムを選択することを特徴とする。
【発明の効果】
【００１１】
以上の手段を用いることにより、本発明によるリモコンによれば、リモコンに内蔵される電池の有無に応じて、これに対応する制御プログラムを自動的に選択することができるため、複数の機能から必要な機能を選択するときの誤操作のような人為的ミスを防止することができる。
【図面の簡単な説明】
【００１２】
【図１】本発明によるリモコンの概略構成を示すブロック図である。
【図２】本発明による実施例１の処理を説明するフローチャートである。
【図３】本発明による実施例２の処理を説明するフローチャートである。
【発明を実施するための形態】
【００１３】
以下、本発明の実施の形態を、添付図面に基づいた実施例として詳細に説明する。なお、本発明は以下の実施形態に限定されることなく、本発明の主旨を逸脱しない範囲で種々変形することが可能である。
【００１４】
図１は、本発明によるリモートコントローラ（以下、リモコンという）の概略構成を示すブロック図である。図１においてリモコン１は、利用者からの操作を受付けるボタンなどの操作部１１と、空気調和機本体２と通信を行う通信部１２と、空気調和機本体２の運転状態などを利用者へ通知するための表示部１３と、空気調和機本体２からリモコン１の各ブロックに供給する電源を入力する主電源入力部２１と、時間を計時する計時部１４と、主電源入力部２１からの電源供給が遮断した場合に計時部１４の計時を継続させるための電池を接続することができる電池電源入力部１５と、電気的にデータの消去及び書込みが可能なＥＥＰＲＯＭ（不揮発性メモリ）１６と、リモコン１の制御プログラムを記憶するプログラム記憶部１７と、これらを制御する制御部１８とを備えている。
【００１５】
ＥＥＰＲＯＭ１６は、電池電源入力部１５に電池が有るか否かのフラグを記憶する電池有無判定フラグ記憶部１６１と、計時部１４が計時した計時時間のデータを記憶する時間記憶部１６２と、後述する電池有無判定部１８１で使用する所定時間を記憶する所定時間記憶部１６３とを備えている。
【００１６】
プログラム記憶部１７には、メインプログラム１７３と、電池がある場合に選択されるサブルーチンである第一制御サブプログラム１７１と、電池が無い場合に選択されるサブルーチンである第二制御サブプログラム１７２とを備えている。なお、第一制御サブプログラム１７１と第二制御サブプログラム１７２はメインプログラム１７３の中に含まれていてもよい。
【００１７】
制御部１８は、主電源入力部２１に電源が入力された時に、計時部１４の計時時間を参照しその時間が予め記憶された所定時間以上であるか否かによって電池電源入力部１５に電池が接続されているか否かを判定する電池有無判定手段である電池有無判定部１８１と、電池の有無に応じてプログラム記憶部１７の第一制御サブプログラム１７１もしくは第二制御サブプログラム１７２を選択する制御プログラム選択手段である制御プログラム選択部１８２とを備えている。
【実施例１】
【００１８】
図２は、本発明による実施例１の処理を説明するフローチャートである。図２を用いて電池有無判定部１８１と制御プログラム選択実行部１８２とが果たす機能を説明する。なお、処理が開始される前提条件として、空気調和機本体２から主電源入力部２１を介して電源が入力されたものとする。またフローチャートに記載のＳＴはステップを表し、これに続く数字はステップ番号を表している。
【００１９】
制御部１８は、リモコン１へ電源が入力されると、電池有無判定フラグ記憶部１６１にフラグがセットされているか否かを確認する（ＳＴ１）。フラグがセットされている場合（ＳＴ１−Ｙｅｓ）、ＳＴ５に進む。一方、フラグがセットされていない場合（ＳＴ１−Ｎｏ）、計時部１４の計時時間を参照しその時間が予め記憶されている所定時間記憶部１６３の所定時間データ（例えば、５秒など）以上か否かを確認する（ＳＴ２）。計時部１４の計時時間が所定時間以上である場合（ＳＴ２−Ｙｅｓ）、電池有無判定フラグ記憶部１６１に電池電源入力部１５に電池が有ることを示す“１”を記憶する（ＳＴ３）。そしてＳＴ５に進む。一方ＳＴ２において、計時部１４の計時時間が所定時間未満である場合（ＳＴ２−Ｎｏ）、電池有無判定フラグ記憶部１６１に電池電源入力部１５に電池が無いことを示す“０”を記憶する（ＳＴ４）。そしてＳＴ５に進む。
【００２０】
なお、ＳＴ２で説明した計時部１４の計時時間が予め記憶されている所定時間以上か否かによって電池有無を判定する処理に関しては、電池電源入力部１５に電池が有る場合の計時部１４の計時時間は主電源入力部２１を介して電源が入力される以前に電池によって計時を開始しているため、予め所定時間記憶部１６３に電源が入力されてから制御部１８が計時部１４の計時時間を参照するまでに要する時間を記憶させておくことによって、電池の有無の判定が可能となる。
【００２１】
制御部１８はＳＴ５において、プログラム記憶部１７のメインプログラム１７３を実行する（ＳＴ５）。次にサブプログラムの実行が必要か否かを確認する（ＳＴ６）。サブプログラムの実行が必要ではない場合（ＳＴ６−Ｎｏ）、ＳＴ７に進む。
【００２２】
制御部１８はＳＴ６において、サブプログラムの実行が必要な場合（ＳＴ６−Ｙｅｓ）、電池有無判定フラグ記憶部１６１にフラグ“１”が記憶されているか否かを確認する（ＳＴ８）。フラグ“１”が記憶されている場合（ＳＴ８−Ｙｅｓ）、プログラム記憶部１７の第一制御サブプログラム１７１を実行する（ＳＴ９）。そしてＳＴ７に進む。
【００２３】
制御部１８はＳＴ８において、電池有無判定フラグ記憶部１６１にフラグ“１”が記憶されていない場合（ＳＴ８−Ｎｏ）、フラグは“０”が記憶されているのでプログラム記憶部１７の第二制御サブプログラム１７２を実行する（ＳＴ１０）。そしてＳＴ７に進む。ＳＴ７において、操作部１１から空気調和機の停止操作を受付けたか否かを確認する（ＳＴ７）。空気調和機の停止操作を受付けた場合（ＳＴ７−Ｙｅｓ）、処理を終了する。一方、空気調和機の停止操作を受付けていない場合（ＳＴ７−Ｎｏ）、ＳＴ５に戻る。
【実施例２】
【００２４】
図３は、本発明による実施例２の処理を説明するフローチャートである。図３を用いて計時部１４がマイコンに付属されるクロック部の場合に、電池有無判定部１８１が果たす機能を説明する。なお、処理が開始される前提条件として、空気調和機本体２から主電源入力部２１を介して電源が入力されたものとする。またフローチャートに記載のＳＴはステップを表し、これに続く数字はステップ番号を表している。
【００２５】
制御部１８は、リモコン１へ電源が入力されると、時刻記憶部１６１に時間のデータが既に記憶されているか否かを確認する（ＳＴ１１）。時刻記憶部１６１に時間データが記憶されていない場合（ＳＴ１１−Ｎｏ）、主電源入力部２１からの電源が入力されることにより、リモコン１の制御部１８に所定の電圧が供給されなければ実行することができない計時部１４が計時を開始するのに必要なイニシャライズ処理を実行する（ＳＴ１２）。イニシャライズ処理によって計時部１４が計時を開始する（ＳＴ１３）。次に計時部１４の計時時間を参照し、その時間データを時刻記憶部１６１に記憶する（ＳＴ１４）。そして処理を終了し、再びリモコン１へ電源が入力されるまでリモコン１の動作を停止する。なお、ＳＴ１２の処理が行われることにより、計時部１４は主電源入力部２１を介して電源が入力されなくても電池電源入力部１５に電池が接続されている場合は計時を継続できるようになる。また、ＳＴ１２からＳＴ１４の処理については、リモコン１の製造時に行われる出荷検査の中で１度だけ行われることになるため、この時にリモコン１が動作を停止しても製品使用上の問題は生じない。
【００２６】
制御部１８はＳＴ１１において、時刻記憶部１６１に時刻データが既に記憶されている場合（ＳＴ１１−Ｙｅｓ）、電池有無判定フラグ記憶部１６１にフラグがセットされているか否かを確認する（ＳＴ１５）。フラグがセットされていない場合（ＳＴ１５−Ｎｏ）、計時部１４の計時時間を参照しその時間が時刻記憶部１６１に記憶されている時間データ（例えば、５秒など）以上か否かを確認する（ＳＴ１６）。計時部１４の計時時間が時刻記憶部１６１に記憶されている時間データ以上である場合（ＳＴ１６−Ｙｅｓ）、電池有無判定フラグ記憶部１６１に電池電源入力部１５に電池が有ることを示す“１”を記憶する（ＳＴ１７）。そしてＳＴ１９に進む。
【００２７】
制御部１８はＳＴ１６において、計時部１４の計時時間が時刻記憶部１６１に記憶されている時間データ未満である場合（ＳＴ１６−Ｎｏ）、電池有無判定フラグ記憶部１６１に電池電源入力部１５に電池が無いことを示す“０”を記憶する（ＳＴ１８）。そしてＳＴ１９に進む。
【００２８】
なお、図３で説明した計時部１４の計時時間が時刻記憶部１６１に記憶されている時間データ以上か否かによって電池有無を判定する処理に関しては、計時部１４が電池電源入力部１５に電池を接続しても計時部１４にイニシャライズの処理が行われなければ計時を開始することができないマイコンに付属されるクロック部の場合にも、電池の有無の判定が可能となる。
【００２９】
図３に示すＳＴ１９以降の処理については、図２で説明したＳＴ５以降の処理と同一であるため説明を省略する。
【符号の説明】
【００３０】
１  リモコン
２  空気調和機本体
１１  操作部
１２  通信部
１３  表示部
１４  計時部
１５  電池電源入力部
１６  ＥＥＰＲＯＭ
１６１  電池有無判定フラグ記憶部
１６２  時間記憶部
１６３  所定時間記憶部
１７  プログラム記憶部
１７１  第一制御サブプログラム
１７２  第二制御サブプログラム
１７３  メインプログラム
１８  制御部
１８１  電池有無判定部（電池有無判定手段）
１８２  制御プログラム選択部（制御プログラム選択手段）
２１  主電源入力部
【図１】
2015162749.tif 000003
【図２】
2015162749.tif 000004
【図３】
2015162749.tif 000005